(57)【要約】【課題】蓋部材に対する強引な抉じ開け行為等により留金状部材が破損し、蓋部材が故意に開放されて開閉体が不正に動作させられてしまうのを防ぐ。【解決手段】開口部１０ａを開閉する蓋部材２０を複数枚重合させる。【選択図】図１
2005209486.tif 000002
【特許請求の範囲】
【請求項１】
開閉体を動作させるための機器に連通する開口部と、当該開口部を開閉可能な蓋部材と、当該蓋部材に設けられ外部から開錠および施錠操作される錠前機構と、当該錠前機構の動作に連動して前記開口部内の側部に係合し閉鎖状態の前記蓋部材を開放不能にする留金状部材とを備えた開閉装置蓋部材の施錠構造において、
前記蓋部材は、すくなくとも閉状態において、複数枚の蓋体をその厚さ方向へ略重合状に配置してなることを特徴とする開閉装置蓋部材の施錠構造。
【請求項２】
すくなくとも蓋部材の閉状態において、複数の蓋体のすくなくとも１枚が、その縁部を他の蓋体の縁部に対してずらした状態で配置され、前記開口部内の側部が複数の前記縁部に対して側方から近接または接触していることを特徴とする請求項１に記載の開閉装置蓋部材の施錠構造。
【請求項３】
蓋体が開き戸状に支持されたものであって、
複数の蓋体のすくなくとも１枚が、他の蓋体に対してその開方向を相互に逆向きとなるように支持されていることを特徴とする請求項１または請求項２に記載の開閉装置蓋部材の施錠構造。
【請求項４】
複数の蓋体のすくなくとも２枚以上が一体にされていることを特徴とする請求項１ないし請求項３いずれか１項に記載の開閉装置蓋部材の施錠構造。
【請求項５】
開閉体を動作させるための機器に連通する開口部と、当該開口部を開閉可能な蓋部材と、当該蓋部材に設けられ外部から開錠および施錠操作される錠前機構と、当該錠前機構の動作に連動して前記開口部内の側部に係合し閉鎖状態の前記蓋部材を開放不能にする留金状部材とを備えた開閉装置蓋部材の施錠構造において、
蓋部材は、その縁部を厚み方向へ多段状となるように成型され、前記開口部内の側部が前記縁部に対して側方から近接または接触していることを特徴とする開閉装置蓋部材の施錠構造。
【請求項６】
前記開口部は、開閉体を動作させるための機器としての操作スイッチ部に連通していることを特徴とする請求項１ないし請求項５いずれか１項に記載の開閉装置蓋部材の施錠構造。  
【請求項７】
前記扉部材の周囲側面を囲むように枠部材が具備され、
該枠部材は、ドリルの貫通を阻む硬質層と、ドリルに対し絡み合い可能な繊維層との内、一方又は双方の層を含む多層構造に構成されていることを特徴とする請求項１ないし請求項６いずれか１項に記載の開閉装置蓋部材の施錠構造。
【請求項８】
前記操作スイッチ部には、開閉体を開放方向へ動作させるための開放スイッチが含まれ、
前記錠前機構と前記留金状部材との内、一方又は双方は、前記扉部材が前記留金状部材により開放不能にされた際に前記開放スイッチの前方を略覆うように設けられていることを特徴とする請求項１ないし請求項７いずれか１項に記載の開閉装置蓋部材の施錠構造。
【発明の詳細な説明】
【技術分野】
【０００１】
本発明は、オーバーヘッドドアを含むシャッター装置、ドア、雨戸を含む引戸、窓、ロールスクリーン、ブラインド、オーニング装置、門扉、ゲート、スライディングウォール装置等、電動で開閉動作する開閉装置における蓋部材の施錠構造に関し、特にシャッター装置に適用するのに好ましい開閉装置蓋部材の施錠構造に関するものである。
【背景技術】
【０００２】
従来、この種の発明には、例えば特許文献１において第二形態として記載されたもののように、表側に開口部を有するボックス（１２）と、このボックス（１２）の前記開口部を開き戸状に開閉する蓋（５２）と、この蓋（１２）を回動自在に軸止するヒンジピン（５４）と、蓋（１２）の周囲に配設された枠状のカバー（５０）と、前記ボックス（１２）内に配置されて開閉体の制御動作を可能にする操作ボタン（３０）と、蓋（５２）側のロックプレート（５８）（留金状部材）をボックス（１２）に係合させることで蓋（５２）を開放不能にするロック装置（５６）とを備えたスイッチボックスがある。
このスイッチボックスは、電気配線を隠蔽する化粧板（４６）の支持構造等を工夫することにより、操作ボタン（３０）が壁面から露出しないことや、取付作業が容易なこと等、優れた利点を多々有するものである。
【０００３】
しかしながら、前記従来技術によれば、前記蓋（５２）が閉鎖されて前記ロック装置（５６）により施錠されている場合であっても、悪意を有する第三者によって蓋（５２）の周囲の僅かな隙間にへら状や軸状等の治具が差し込まれ、該治具によって蓋（５２）が強引に抉じられて手前に引かれる等すると、ロックプレート（５８）（留金状部材）が変形してしまったり、同ロックプレート（５８）の基端側が外れてしまったり、あるいはヒンジピン（５４）が軸支箇所から抜け出てしまったり等して、蓋（５２）が開放されてしまうおそれがある。
【特許文献１】特開平１０−１６２６７８号公報（図３および４参照）
【発明の開示】
【発明が解決しようとする課題】
【０００４】
本発明は上記従来事情に鑑みてなされたものであり、その課題とする処は、蓋部材に対する強引な抉じ開け行為等により、蓋部材が故意に開放されて開閉体が不正に動作させられてしまうのを防ぐことができる開閉装置蓋部材の施錠構造を提供することにある。
【課題を解決するための手段】
【０００５】
前記課題を解決するために第一の発明は、開閉体を動作させるための機器に連通する開口部と、当該開口部を開閉可能な蓋部材と、当該蓋部材に設けられ外部から開錠および施錠操作される錠前機構と、当該錠前機構の動作に連動して前記開口部内の側部に係合し閉鎖状態の前記蓋部材を開放不能にする留金状部材とを備えた開閉装置蓋部材の施錠構造において、前記蓋部材は、すくなくとも閉状態において、複数枚の蓋体をその厚さ方向へ略重合状に配置してなることを特徴とする。
【０００６】
ここで、本発明の施錠構造が適用される開閉装置とは、開閉体の開閉動作により空間を仕切ったり開放したりする開閉装置であり、開閉体が開動作のみを行なうように用いられる態様や、開閉体が閉動作のみを行うように用いられる態様、開閉体が開動作と閉動作との双方を行うように用いられる態様等を含む。
【０００７】
なお、本発明には、上記施錠構造が開閉装置自体に配設される態様や、上記施錠構造が開閉装置を設置する構造物側の部位に配設される態様、上記施錠構造が開閉装置の操作のための操作体に配設される態様等を含む。
すなわち、上記施錠構造が開閉装置自体に配設される態様の具体例としては、上記施錠構造を上記開口部としての点検口に具備した構成等が挙げられる。
また、上記施錠構造が開閉装置を設置する構造物側の部位に配設される態様の具体例としては、開閉装置が設置される建物の天井や壁等に開閉体を動作させるための機器に連通する点検口がある場合に、上記施錠構造を当該点検口に具備した構成等が挙げられる。
また、上記施錠構造が開閉装置の操作のための操作体に配設される場合、この操作体とは、開閉体を開放動作させる信号や、開閉体を閉鎖動作させる信号、動作中の開閉体を停止させる信号等、開閉体を制御する制御信号を出力するものであり、開閉体の制御回路部に有線接続された態様と、開閉体の制御回路部に無線接続された態様との双方を含む。
さらに、この操作体には、開閉体を開放方向のみに動作させるようにした態様、開閉体を閉鎖方向のみに動作させるようにした態様、開閉体を開放方向と閉鎖方向に動作させるようにした態様等を含む。
さらに、この操作体には、躯体壁面や開閉装置等の表面に外付けされる態様や、躯体壁面や開閉装置等に埋め込まれる態様等を含み、この操作体が設けられる位置としては、操作性を向上させる観点等より開閉装置自体や開閉装置の近傍等が好ましい。
【０００８】
また、上記「開閉体を動作させるための機器」の具体例としては、開閉体を操作するための操作スイッチ部や、信号線、電線、制御回路、制御部品、開閉体を動作させるための駆動源（たとえば、モーターや開閉機等）、当該駆動源の動力を伝達する動力伝達機構（たとえば、チェーンとスプロケット、ベルトとプーリー、歯車等）、チェーン等により開閉体を手動で開放させる機構、開閉体の動作を手動モードまたは電動モードに切り替えるスイッチやクラッチ等が挙げられる。
【０００９】
また、前記蓋部材は、前記開口部を開放したり閉鎖したりする部材であればよい。この蓋部材には、前記開口部側に軸支されて回動することで前記開口部を開き戸状に開放したり閉鎖したりする態様や、スライド動作することで前記開口部を開放したり閉鎖したりする態様、さらには、開口部側に着脱されることで前記開口部を開放したり閉鎖したりする態様等を含む。
【００１０】
上記錠前機構とは、外部からの特別な操作により、上記蓋部材の裏側に位置する部位を動作させる機構であればよい。
この錠前機構の具体例としては、外部から差し込まれるキー部材の操作により上記蓋部材の裏側に位置する部位を動作させる態様や、電子キーや、磁気カード、ＩＣカード等のＩＤコード記憶体が外部から接触または近接されることで上記蓋部材の裏側に位置する部位を動作させる態様、コード入力等されることにより上記蓋部材の裏側に位置する部位を動作させる態様、有線または無線のリモコン操作により上記蓋部材の裏側に位置する部位を動作させる態様等が挙げられる。
なお、上記上記蓋部材の裏側に位置する部位の構成には、当該部位が略回転運動する態様や、当該部位が略直線運動する態様、当該部位が略回転運動および略直線運動する態様等を含むが、上記錠前機構の構造を簡素で生産性よくするためには、当該部位が回転運動する態様とするのが好ましい。
前記留金状部材は、前記錠前機構における前記開口部内の動作部位に固定され、前記錠前機構の動作に連動して前記開口部内の側部に係合し閉鎖状態の前記蓋部材を開放不能にする部材であれば、その形状や材質は限定されず、強度および製造容易性を向上する観点より、好ましくは金属材料から形成される。
【００１１】
本発明でいう略重合状とは、各蓋体が接触状に重合する態様または各蓋体間に任意の空間を確保して重合する態様のいずれも含む。
【００１２】
閉状態における蓋部材の具体的な形態として、第二の発明では、すくなくとも蓋部材の閉状態において、複数の蓋体のすくなくとも１枚が、その縁部を他の蓋体の縁部に対してずらした状態で配置され、前記開口部内の側部が複数の前記縁部に対して側方から近接または接触していることを特徴とする。
【００１３】
また、第三の発明では、蓋体が開き戸状に支持されたものであって、複数の蓋体のすくなくとも１枚が、他の蓋体に対してその開方向を相互に逆向きとなるように支持されていることを特徴とする。
【００１４】
また、第四の発明では、複数の蓋体のすくなくとも２枚以上の複数枚が一体にされていることを特徴とする。
ここでいう一体の形態としては、たとえば、錠前機構におけるシリンダーを重合する各蓋体に貫通取付けすることによって複数枚の蓋体を一体にする形態、または、蓋体相互を接着、溶着あるいはビスによって複数枚の蓋体を一体にする形態等が例示できる。
【００１５】
また、第五の発明では、開閉体を動作させるための機器に連通する開口部と、当該開口部を開閉可能な蓋部材と、当該蓋部材に設けられ外部から開錠および施錠操作される錠前機構と、当該錠前機構の動作に連動して前記開口部内の側部に係合し閉鎖状態の前記蓋部材を開放不能にする留金状部材とを備えた開閉装置蓋部材の施錠構造において、蓋部材は、その縁部を厚み方向へ多段状となるように成型され、前記開口部内の側部が前記縁部に対して側方から近接または接触していることを特徴とする。
【００１６】
ここでいう蓋部材は、鋳造、鍛造、あるいは引き抜き成型等によって所望の形状に成型された一体物である。
また、蓋部材の厚みは、通常用いられる蓋部材と同厚でもよいが、好ましくは、たとえば、第四の発明のように、複数の蓋体を重合一体化したようなものと略同厚程度である。
【００１７】
また、第六の発明では、上記開口部は、開閉体を動作させるための機器としての操作スイッチ部に連通していることを特徴とする。  
【００１８】
ここで、前記操作スイッチ部は、開閉体を、開放動作や、閉鎖動作、停止等、制御するために操作される単数もしくは複数のスイッチであればよい。
この操作スイッチ部には、押圧されることにより接点を開閉する押ボタンスイッチや、外部から差し込まれるキー部材の操作により開閉体の開放動作や閉鎖動作を可能にするキースイッチ等を含む。そして、この操作スイッチは、前記押しボタンスイッチと前記キースイッチとの内の一方のみからなる態様であってもよいし、双方からなる態様であってもよい。
さらに、前記操作スイッチ部には、キー操作や押ボタン操作、遠隔操作、コード入力等されることにより、前記開閉体を施錠したり開錠したりするロック機構に対して、施錠や開錠のための信号を出力するようにした態様等も含む。
また、前記操作スイッチ部を単数のスイッチにより構成した場合、該スイッチの操作により開閉体に開放動作のみ又は閉鎖動作のみを行わせるようにした態様であってもよいし、該スイッチが操作される回数に応じて開閉体に、開放動作や、閉鎖動作、停止等、二以上の動作を行わせるようにした態様であってもよい。
【００１９】
また、第七の発明では、前記扉部材の周囲側面を囲むように枠部材が具備され、  該枠部材は、ドリルの貫通を阻む硬質層と、ドリルに対し絡み合い可能な繊維層との内、一方又は双方の層を含む多層構造に構成されていることを特徴とする。
【００２０】
ここで、前記多層構造とは、前記蓋部材の厚さ方向に、単数もしくは複数の前記硬質層と、単数もしくは複数の前記繊維層との内の一方又は双方が配置された構成であればよい。
この多層構造には、層間が略密接された態様、層間が厚さ方向に間隔を有する態様、層間の一部が略密接し、他の一部が間隔を有する等を含む。
【００２１】
また、第八の発明では、前記操作スイッチ部には、開閉体を開放方向へ動作させるための開放スイッチが含まれ、前記錠前機構と前記留金状部材との内、一方又は双方は、前記扉部材が前記留金状部材により開放不能にされた際に前記開放スイッチの前方を略覆うように設けられていることを特徴とする。
【００２２】
また、前記第七の発明は、前記第一ないし第六何れか一の発明の特徴として記載した構成を具備しない独立した発明としても、後述する第七の発明の作用効果と略同様の作用効果を奏する。
すなわち、この発明の開閉装置蓋部材の施錠構造は、開閉体を動作させるための機器に連通する開口部と、当該開口部を開閉可能な蓋部材と、当該蓋部材に設けられ外部から開錠および施錠操作される錠前機構と、当該錠前機構の動作に連動して前記開口部内の側部に係合し閉鎖状態の前記蓋部材を開放不能にする留金状部材とを備えた開閉装置蓋部材の施錠構造において、前記扉部材の周囲側面を囲むように枠部材が具備され、該枠部材は、ドリルの貫通を阻む硬質層と、ドリルに対し絡み合い可能な繊維層との内、一方又は双方の層を含む多層構造に構成されていることを特徴とする。
【００２３】
また、前記第八の発明は、前記第一ないし第七何れか一の発明の特徴として記載した構成を具備しない独立した発明としても、後述する第八の発明の作用効果と略同様の作用効果を奏する。
すなわち、この発明の開閉装置蓋部材の施錠構造は、開閉体を動作させるための機器に連通する開口部と、当該開口部を開閉可能な蓋部材と、当該蓋部材に設けられ外部から開錠および施錠操作される錠前機構と、当該錠前機構の動作に連動して前記開口部内の側部に係合し閉鎖状態の前記蓋部材を開放不能にする留金状部材とを備えた開閉装置蓋部材の施錠構造において、前記操作スイッチ部には、開閉体を開放方向へ動作させるための開放スイッチが含まれ、前記錠前機構と前記留金状部材との内、一方又は双方は、前記扉部材が前記留金状部材により開放不能にされた際に前記開放スイッチの前方を略覆うように設けられていることを特徴とする。
【発明の効果】
【００２４】
本発明は、以上説明したように構成されているので、以下に記載されるような作用効果を奏する。
第一の発明によれば、蓋部材が閉鎖され、外部から錠前機構がキー操作されると、この錠前機構の動作に伴って留金状部材が開口部内の側部に係合し、蓋部材が施錠されて開放不能になる。
そして、閉鎖状態での蓋部材は、複数の蓋体が重合した状態で構成される。
したがって、蓋部材を強引に抉じ開けようとしても、複数の蓋体を一枚づつ順次抉じ開ける必要があったり、蓋部材が蓋体を重合することで厚くなり、蓋部材自体の強度が増して抉じ開け難くなったりするため、抉じ開けを行う者に対して抉じ開けに要する時間を引き延ばして精神的な焦りを与え、この焦りから抉じ開け行為の続行を断念させることが期待できる。
また、ドリルによる貫通破壊に対しても、蓋体が複数であることや、蓋体の重合による厚みの増加によって、貫通破壊に要する時間を引き延ばすことができる。
つまり、犯行時間を遅延させるとともに、犯行意欲を低下させ、ひいては、蓋部材が故意に開放されて開閉体が不正に動作させられてしまうのを防ぐことができる。
【００２５】
さらに、第二の発明によれば、蓋体の縁部と開口部内の側部との間の隙間が厚み方向に向かって略ジグザグ状に構成されるため、抉じ開け時において使用されるドライバーやバール等などの工具を挿し入れ難くすることができる上に、結露水やチリ・埃等の侵入抑制にも効果的である。
すなわち、蓋部材の抉じ開け行為を行い難くし、蓋部材の抉じ開け時間を引き延ばす点において有効なものである上に、結露水やチリ・埃等による開口部内の汚れを抑制することにも有効なものである。
【００２６】
さらに、第三の発明によれば、仮に最上面の蓋体が抉じ開けられても、その下側にさらに蓋体が現れ、しかも、その蓋体は最上面の蓋体の開き方向と逆向きであるので、最上面の蓋体および該蓋体を支持する軸部材を、二枚目の蓋体の抉じ開け時に使用する前記工具の挿し込みに対しての障害とすることができる。
すなわち、蓋部材の抉じ開け行為を行い難くし、蓋部材の抉じ開け時間を引き延ばす点において有効なものである。
【００２７】
さらに、第四の発明によれば、蓋体の厚みを厚くしてその強度を向上させる具体的な構成を提供できる。
すなわち、蓋部材の抉じ開け行為を行い難くし、その抉じ開け時間を引き延ばす点において有効なものである。
【００２８】
さらに、第五の発明によれば、蓋部材の縁部と開口部内の側部との間の隙間が厚み方向に向かって略ジグザグ状に構成されるため、抉じ開け時において使用されるドライバーやバール等などの工具を挿し入れ難くすることができる上に、結露水やチリ・埃等の侵入抑制にも効果的である。
すなわち、第二の発明と同様に、蓋部材の抉じ開け行為を行い難くし、蓋部材の抉じ開け時間を引き延ばす点において有効なものである上に、結露水やチリ・埃等による開口部内の汚れを抑制することにも有効なものである。
さらに、蓋部材の厚みを厚くすれば、第三の発明と同様に、蓋体の厚みを厚くしてその強度を向上させる具体的な構成を提供できる。
すなわち、蓋部材の抉じ開け行為を行い難くし、その抉じ開け時間を引き延ばす点において有効なものである。
【００２９】
さらに、第六の発明によれば、上記開口部が操作スイッチ部に連通するものであるため、開閉体が不正に動作させられてしまうのを、より効果的に防ぐことができる。
【００３０】
さらに、第七の発明によれば、外部から枠部材に対しドリル等が斜めに貫通されてしまうのを阻むことができる。
すなわち、枠部材を硬質層を含む多層構造に構成した場合、ドリル等による枠部材の貫通を硬質層によって阻むことができる。
また、枠部材を繊維層を含む多層構造に構成した場合には、枠部材を貫通しようとするドリル等に繊維を絡ませて、ドリルの回転を困難にすることができる。
よって、枠部材をドリルによって斜めに穿孔して、該ドリルの先端により操作スイッチ部を操作しようとする悪意の第三者に対して、犯行時間を遅延させるとともに、犯行意欲を低下させることができ、ひいては、貫通されたドリル等により開放スイッチが操作されて、開閉体が不正に開放されてしまうのを防ぐことができる。
【００３１】
さらに、第八の発明によれば、仮に、蓋部材をドリル等によって貫通し、該ドリル等の先端により開放スイッチを操作して、開閉体を開放するという犯行が行われようとした場合、開放スイッチの前方には錠前機構と留金状部材との内の一方または双方が設けられているため、これら錠前機構や留金状部材によってドリル等による貫通が阻まれる。したがって、貫通されたドリル等により開放スイッチが操作されて、開閉体が不正に開放されてしまうのを防ぐことができる。
【発明を実施するための最良の形態】
【００３２】
以下、本発明の実施の形態を図面に基づいて説明する。
本実施の形態による開閉装置蓋部材の施錠構造は、住宅やビル、倉庫、工場、地下街、トンネル、車両の荷台等の構築・構造物における開口部分や内部に配設され、開閉体によって上記開口部分を開閉することで、躯体内部の空間を仕切ったり開放したりする所謂シャッター装置に用いられる操作体であって、上記開閉体を制御動作するための操作体に適用した一例として説明する。
まず、図１ないし図５に基づいて第１の実施の形態を説明する。
【００３３】
操作体Ａは、表側（図１によれば上側）に開口部１０ａを有する筐体１０と、前記開口部を開き戸状に開閉する蓋部材２０と、当該蓋部材２０に設けられ外部からキー操作される錠前機構３０と、当該錠前機構３０の回転動作に連動して前記筐体１０における後述する内箱１２の側部１２ａ，１２ｄに係合し閉鎖状態の前記蓋部材２０を開放不能にする留金状部材４０と、閉鎖状態の前記蓋部材２０よりも前記筐体２０内側に配設された複数の操作スイッチ部５０とを備え、これら操作スイッチ部５０の操作により図示しない開閉体の制御を可能にする。
【００３４】
筐体１０は、開閉体を動作させるための操作スイッチ部５０と連通した開口部１０ａを備え、当該開口部１０ａを表側（図１における上側）向けた略箱状に構成されている。
そして、この筐体１０は、開口部面を除いて躯体壁面ｑに埋め込まれる外箱１１と、当該外箱１１内に止着された前述の内箱１２と、蓋部材２０の周囲側面を囲む枠部材１３とを具備してなり、内箱１２内の表側に蓋部材２０を回動自在に軸支している。
【００３５】
外箱１１は、表側に開口部を有する略矩形箱状に形成され、その側部の内側面に断面略Ｌ字状のブラケット１１ａを固定し、当該ブラケット１１ａの表側面に内箱１２の底部をネジ止めしている。
【００３６】
内箱１２は、表側に開口部を有するとともに外箱１１よりも略一回り小さい略矩形箱状に形成され、前記側部１２ａには、後述する留金状部材４０の一端部が係脱する被係合部１２ａ１が、前記側部１２ｄには、後述する留金状部材４０の他端部が係脱する被係合部１２ｄ１が形成されている。
また、内箱１２の開口端全周を、外側方向へ略逆Ｌ字状に折り曲げて、枠部材１３との固定面１２１を形成している。
【００３７】
被係合部１２ａ１，１２ｄ１は、後述する留金状部材４０の各端部が貫通係合可能な略矩形孔状に形成されている。
これら被係合部１２ａ１，１２ｄ１は、例示した貫通孔に限定されるものでなく、例えば凹部や凹溝等、側部１２ａ，１２ｄを貫通しない態様とすることも可能である。
【００３８】
また、前記内箱１２の底面には、操作スイッチ部５０が貫通され取付けられている。この操作スイッチ部５０は、停止スイッチ５１，開放スイッチ５２，閉鎖スイッチ５３等の複数のスイッチから構成され、各スイッチは、外部からの押し操作により内部の接点を開閉する所謂押しボタンスイッチであり、当該操作体Ａ外部の図示しない制御部に電気配線されている。
これらスイッチの内、前記開放スイッチ５２は、その前方側が留金状部材４０および錠前機構３０によって覆われるように配置されている。
この開放スイッチ５２の配置によれば、仮に蓋部材２０をドリル穿孔工具等（例えばハンドドリルや電動ドリル等）により故意に穿孔しようとした場合、当該工具等のドリルを開放スイッチ５２へ向けての穿孔を、留金状部材４０および錠前機構３０により阻むことができる。
【００３９】
そして、前記構成の内箱１２には、側部１２ａ，１２ｄに交差する双方の側部１２ｂ，１２ｃに亘って、蓋部材２０を回動自在に支持する軸部材６０が架設されている。
【００４０】
枠部材１３は、断面略逆Ｌ字状の金属製部材を略矩形枠状に一体化してなり、内箱１２の開口縁に、溶接等の固定手段によって固定されている。
この枠部材１３の内面側は、ドリル穿孔工具等のドリルの貫通を阻む硬質層１３ａ，１３ｂと、ドリルに対し絡み合い可能な繊維層１３ｃとからなる多層構造に構成されている。
また、枠部材１３は、後述する軸部材６０側の開口端部１３１を除く三方の開口端部１３２，１３３，１３４を、固定面１２１上の中途部分に位置させることによって、当該部位の固定面１２１を一部露出させている。
また、開口端部１３１を、後述する軸部材６０側の固定面１２１上を越えて内箱１２の内側に張り出してあり、この張り出し部１３５の裏面に、閉状態における後述する蓋部材２０が接触するようにしている
なお、当該露出した固定面１２１は、後述する蓋部材２０の受け面を構成するものであり、以下では、露出した固定面１２１を受け面として説明し、当該受け面に符号１２２を付す。
【００４１】
前記硬質層１３ａ，１３ｂは、例えば焼き入れ鋼材や、セラミック材等、ドリルによる穿孔が困難な硬質材料を枠部材１３の内面に固定してなり、図示例によれば、硬質層１３ａは、断面略逆Ｌ字状の枠部材１３の表側部位の内面に配置され、硬質層１３ｂは、同枠部材１３の側部の内面に配置されている。
この構成によれば、仮に枠部材１３がドリル穿孔工具等により故意に穿孔されようとした場合、ドリル穿孔工具等のドリルの先端は硬質層１３ａや硬質層１３ｂを容易に貫通できない。したがって、枠部材１３に対し斜めに挿通させたドリルの先端で操作スイッチ部５０を操作しようとする犯罪行為を防ぐことができる。
【００４２】
また、繊維層１３ｃは、ドリル穿孔工具のドリルの先端側に絡む程度の長さを有する繊維を、多数束ねたものであればよく、より好ましくは、耐火性や、難燃性、耐熱性等に優れた繊維とされ、例えば、ロックウール繊維や、ガラス繊維、アラミド繊維等が用いられる。そして、この繊維層１３ｃは、前記硬質層１３ａ，１３ｂの内面を覆うようにして固定されている。
この繊維層１３ｃによれば、仮に枠部材１３がドリル穿孔工具等により故意に穿孔された場合、繊維層１３ｃの繊維が、前記ドリルの先端側に絡み付いて、ドリルの回転を困難にする。
したがって、枠部材１３に対し斜めに挿通させたドリルの先端で操作スイッチ部５０を操作しようとする犯罪者に対し、犯行意欲を低下させることができる。
【００４３】
なお、本実施の形態は、枠部材１３の内側に、硬質層１３ａ，１３ｂと繊維層１３ｃおよび繊維層１３ｃを設けることで、ドリルによる貫通を効果的に防ぎ、防犯性を向上した好ましい態様であるが、部品コスト低減の観点からは、硬質層１３ａ，１３ｂと繊維層１３ｃとの内の一方を省いた態様にしたり、硬質層１３ａと硬質層１３ｂとの内の一方を省いた態様とすることも可能である。
【００４４】
また、蓋部材２０は、たとえば金属性の略矩形板状部材を用いた蓋体を複数枚重合一体化して構成されている。
本実施の形態では、３枚の蓋体２０ａ，２０ｂ，２０ｃを接触状に重合し、これら蓋体２０ａ，２０ｂ，２０ｃに前記錠前機構３０を貫通固定することによって一体化している。
前記蓋体２０ａは、略平板状のものであり、蓋部材２０の表面層を構成する。
前記蓋体２０ｂは、断面略下向きコ型状に曲げ加工することで、その側端部に筐体１０内へ向く突片部２１，２２，２３，２４を一体的に形成したものであり、蓋部材２０の中間層を構成する。
前記蓋体２０ｃは、略平板状のものであり、蓋部材２０の最下層を構成する。
【００４５】
詳述すると、蓋体２０ａは、図４に示すように、軸部材６０側の縁部２０ａ１を除く三方の縁部２０ａ２，２０ａ３，２０ａ４が蓋体２０ｂから外側へ張り出し、縁部２０ａ１を、蓋体２０ｂの固定面１２１に前記張り出し部１３５の裏面に接触状に支持される接触面２０ｂ１を確保可能な位置にずらしている。
つまり、蓋部材２０の閉状態に置いて、張り出した縁部２０ａ２，２０ａ３，２０ａ４が前記受け面１２２によって支持され、前記張り出し部１３５の裏面が前記接触面２０ｂ１に支持されるようにされている。
蓋体２０ｂは、図１において右側を軸部材６０によって内箱１２に開き戸状に開閉動可能に支持され、これによって、蓋部材２０が開閉動する。
蓋体２０ｃは、蓋体２０ｂにおける前記突片部２１，２２，２３，２４に囲まれるように重合されている。
前記蓋体２０ｂ、２０ｃは、前記した枠部材１３の硬質層１３ａ，１３ｂおよび繊維層１３ｃ同様に、ドリルの貫通を阻む硬質層を構成するものである。
【００４６】
前記各蓋体２０ａ，２０ｂ，２０ｃの重合形態によって、図１において  蓋体２０ａ周囲の隙間からマイナスドライバー等のへら状の工具や軸状の工具等の挿し込み行為を、蓋体２０ａ周囲三方の隙間から臨む受け面１２２および接触面２０ｂ１によって行い難くすることができる。
また、前記隙間から厚み方向への工具等の挿し込み経路がジグザグ状となるので、その挿し込み行為を行い難くすることができる。
さらに、前記突片部２１，２２，２３，２４は、蓋部材２０の曲げ強度を向上して、犯罪行為等により変形や破壊等されるのを防ぐとともに、蓋部材２０の周囲の隙間に、マイナスドライバー等のへら状の工具や軸状の工具等が差し入れられ、蓋部材２０が強引に抉じ開けられてしまうのを阻むことができる。
【００４７】
内箱１２の側部１２ｄを除く三方の側部１２ａ，１２ｂ，１２ｃには、前記突片部２２，２３，２４を支持する支持部材１２ｅが設けられている。
支持部材１２ｅは、前記突片部２２，２３，２４を支持する支持面１２ｅ１と、当該支持面１２ｅ１の端部から突片部２２，２３，２４と、その内側で隣接して平行状に立設した補強板１２ｅ２とから構成されている。
この支持部材１２ｅは、閉鎖された蓋部材２０が、外部からの押圧力により筐体１０内側へ強引に押し込まれようとしたときに、支持面１２ｅ１が前記突片部２２，２３，２４を支持して、蓋部材２０の押し込みによるを破損を防ぐものである。
さらに、蓋部材２０の閉鎖状態において、前記突片部２２，２３，２４が、補強板１２ｅ２と内箱１２の側部１２ａ，１２ｂ，１２ｃとの間に嵌入状態となることによって、突片部２２，２３，２４と、前記側部１２ａ，１２ｂ，１２ｃおよび支持面１２ｅ１、さらに補強板１２ｅ２との間に生ずる前記隙間からの工具等の挿し込み経路のジグザグ形態がより複雑化し、工具等の挿し込み行為をさらに行い難くすることができる。
【００４８】
前記錠前機構３０は、外部から差し込まれ回転されるキー部材３１と径方向に凹凸状に嵌り合う内部構成を備え、当該キー部材３１の回転操作により筐体１０内側へ突出する出力軸３２を略９０度回動させるようにした所謂錠前であり、出力軸３２には、留金状部材４０が一体的に取り付けられている。
【００４９】
留金状部材４０は、平板状の金属板であり、その各端部が内箱１２の側部１２ａに形成された被係合部１２ａ１、側部１２ｄに形成された被係合部１２ｄ１に貫通係合することで蓋部材２０を開放不能にするものである。
さらに、この留金状部材４０の両端部には、図３に示すように、蓋部材２０を開放不能にした際、被係合部１２ａ１の内縁に対し凹凸状に係合する係合凹部４１が凹設されている。
係合凹部４１は、錠前機構３０が施錠された状態で、前記被係合部１２ａ１，１２ｄ１の内縁であって、留金状部材４０の施錠方向側の縁に嵌り合うように凹設されている。
前記構成の留金状部材４０によれば、留金状部材４０を変形させる力を受けたとしても、留金状部材４０が２箇所の側部１２ａ，１２ｄの２箇所に係合し、変形させる力に対抗するため、当該留金状部材が変形したり外れたり等して破損してしまうのを防ぐことができる。
さらに、一つの錠前機構の施錠動作によって、２箇所の側部に係合するので、施錠操作が容易である。
【００５０】
また、留金状部材４０は、蓋部材２０裏面側に設けられた補強部２８によって、蓋部材２０に対する強引な抉じ開け行為があった場合に、留金状部材４０の変形や外れ等を防ぐようにされている。
この補強部２８は、前記被係合部１２ａ１，１２ｄ１に係合した状態の前記留金状部材４０を、その上下から挟持状に支持するようにされている。
詳述すると、補強部２８は、蓋部材２０の裏面から吊持され、その下端側に前記留金状部材４０が嵌合する凹部２８ａが設けられている。
凹部２８ａは、留金状部材４０の施錠方向側が開放され、当該留金状部材４０が嵌合されたときに、その表裏面が非接触状態となる幅を有している。
すなわち、仮に補強部２８が無い場合、前記のような強引な抉じ開け行為があった際、留金状部材４０は、梃子の原理によってその基端側に曲げ力を受け、その結果、該基端側が曲げ変形してしまったり、該基端側が錠前機構３０から外れてしまったり等するおそれがある。
しかしながら、本実施の形態によれば、補強部２８が留金状部材４０を挟持状に支持しているため、前記のような強引な抉じ開け行為があった場合、留金状部材４０にかかる力は略せん断力となる。
そのため、留金状部材４０は、前記梃子の原理による曲げ力を受け難く、その厚みによって抉じ開け力に対抗するため、容易には変形したり外れたり等し難い。
したがって、留金状部材４０の変形や外れまたはせん断等を防ぐことができる上に、補強部２８を蓋部材２０に対し溶接等の固定手段により固定するだけで、留金状部材４０を補強できるため、製造容易性に優れている上、既存の操作体に対し補強部２８を装着して防犯性を向上させることも期待できる。
【００５１】
次に、図６ないし図８に基づいて第２の実施の形態を説明する。
なお、前記第１の実施の形態と重複する部位については、同一の符号を用いることによって、当該部位の説明は省略する。  
【００５２】
第２の実施の形態の操作体Ｂは、基本的には、両開き戸状に開閉動する蓋部材２０を備えるとともに、留金状部材４０の一端部が蓋部材２０の突片部２１と内箱１２の側部１２ｄ、他端部が突片部２２と側部１２ａに亘って貫通係合する構成のものである。
【００５３】
蓋部材２０は、枠部材１３の図面上右側表面に軸部材６０ａによって、図面上右開き状に支持される上蓋２０１と、当該上蓋２０１の直下に有って、内箱１２の図面上左寄りに側部１２ｃ，１２ｂ間に亘って架設された軸部材６０ｂによって、図面上左開き状に支持される下蓋２０２とから構成されている。
上蓋２０１は、たとえば金属性の略矩形板状部材を用いた蓋体を複数枚重合一体化して構成されている。
本実施の形態では、２枚の蓋体２０１ａ，２０１ｂを接触状に重合し、これら蓋体２０１ａ，２０１ｂに前記錠前機構３０を貫通固定することによって一体化している。
蓋体２０１ａは、上蓋２０１の表面層を構成するものであり、横向きＬ型状に形成され、この側部を突片部２１としている。
蓋体２０１ｂは、上蓋の下層を構成するものであり、前記突片部２１側の側部を開放した下向き箱状に形成され、開放部分を除く三方の側部をそれぞれ突片部２２，２３，２４としている。
【００５４】
そして、蓋体２０１ａの下側に、蓋体２０１ｂをその開放側部と蓋体２０１ａの突片部２１とを対向させて重合することによって、四方に突片部２１，２２，２３，２４を有する上蓋２０１が構成される。
また、蓋体２０１ａの長手側端部は、前記第１の実施の形態と同様の張り出し部２０ａ２であり、蓋部材２０の閉状態において当該張り出し部２０ａ２が受け面１２２で支持される。
このような構成によって、前記第１の実施の形態と同様に、マイナスドライバー等のへら状の工具や軸状の工具等の挿し込み行為を行い難くすることができる。
また、蓋体２０１ｂは、前記した枠部材１３の硬質層１３ａ，１３ｂおよび繊維層１３ｃ同様に、ドリルの貫通を阻む硬質層を構成するものである。
【００５５】
上蓋２０１の突片部２１には、内箱１２の側部１２ｄに設けられた被係合部１２ｄ１と正対する被係合部２１ａが、突片部２２には、内箱１２の側部１２ａに設けられた被係合部１２ａ１と正対する被係合部２２ａがそれぞれ開口されている。
前記被係合部２１ａと被係合部１２ｄ１とに留金状部材４０一端部が貫通係合し、被係合部２２ａと被係合部１２ａ１とに留金状部材４０一端部が貫通係合しすることによって、上蓋２０１が開放不能にされる。
また、被係合部２１ａおよび被係合部２２ａは、前記第１の実施の形態における補強部２８と同様の作用効果を有し、蓋部材２０に対する強引な抉じ開け行為があった場合に、留金状部材４０の変形や外れ等を防ぐことができる。
【００５６】
下蓋２０２は、図面上右側の表面に把手２０２ａが固定されている。
また、下蓋２０２は、内箱１２の側部１２ｄに設けられた支持部材１２ｆによって支持されており、この構成によって、前記第１の実施の形態における支持部材１２ｅと同様に、蓋部材２０の押し込みによる破損を防ぐことができる、
下蓋２０２の中央部には、錠前機構３０および錠前機構３０に設けられた留金状部材４０の後述する支持板部４０ａが貫通する孔部２０３が開孔され、この孔部２０３は、上蓋２０１の開動に追従する出力軸３２および後述する支持板部４０ａが接触しない程度の大きさとする。
さらに、下蓋２０２は、前記した枠部材１３の硬質層１３ａ，１３ｂおよび繊維層１３ｃ同様に、ドリルの貫通を阻む硬質層を構成するものである。
【００５７】
留金状部材４０は、金属材料を曲げ加工やプレス加工等することで、錠前機構３０の側部に近接して沿う前記支持板部４０ａと、上蓋２０１の裏部とに近接して沿う係合板部４０ｂとが一体に成形される。
なお、留金状部材４０は、錠前機構３０の動作に連動して移動可能であれば、錠前機構３０の側部と上蓋２０１の裏部との内の一方または双方に接触していてもよい。
そして、この留金状部材４０は、係合板部４０ｂの一端側と他端側に前記第１の実施の形態と同様の係合凹部４１が凹設され、当該係合凹部４１は、それぞれ被係合部１２ａ１，１２ｄ１に係合する。
さらに、この留金状部材４０は、蓋部材２０を開放不能にした際に、支持板部４０ａの基端側の部位によって停止スイッチ５１、開放スイッチ５２、閉鎖スイッチ５３の前方を略覆うように配設されている。
さらに、この留金状部材４０は、蓋部材２０を開放不能にした際に、該留金状部材４０によって係合される貫通孔２１ａ，２２ａの内縁との隙間ｃを略塞ぐ閉塞部４２が一体的に形成されている。
【００５８】
前記構成の留金状部材４０によれば、前記第１の実施の形態と同様の作用効果を奏する上、比較的幅広形状であるため、強引な抉じ開け行為等により変形され難く、しかも、悪意等により蓋部材２０を正面側から貫通しようとするドリルを阻む面積が広くできる効果が有る。
また、蓋部材２０が略直角状に開放された際（図８参照）、筐体１０内のスペースが留金状部材４０により占領されてしまう比率が小さくなるため、操作スイッチ部５０の操作性が良好である。
すなわち、仮に留金状部材４０が曲げ部分のない略直線に沿う形状であった場合、留金状部材４０の先端側が操作スイッチ部５０の近傍のスペースに位置するため、操作スイッチ部５０を操作する際の操作者の手が留金状部材４０の先端側に触れて操作性を損ねてしまうが、前記構成によれば、操作する際の操作者の手が留金状部材４０の先端側に触れ難く、操作スイッチ部５０の操作性が良好である。
なお、操作スイッチ部５０の操作性を良好にする他の手段として、錠前機構３０自体の奥行き寸法（換言すれば筐体１０の底部側へ突出する寸法）を短くし、留金状部材４０を略直線状に形成してもよいが、通常の錠前では内部でキー部材３１を複雑に係合させる構造により前記奥行き寸法が比較的長いため、上述した構成が有効である。
【００５９】
さらに、前記留金状部材４０の構成によれば、錠前機構３０が施錠された状態（図６に示す状態）で、悪意により枠部材１３にドリルを斜めに貫通させ、さらに該ドリルの先端を被係合部２１ａ，２２ａ内の隙間ｃに通過させ、該ドリルの先端により操作スイッチ部５０を操作するという犯罪行為が行われようとした場合、筐体１０内へ挿入されようとする前記ドリルの先端を閉塞部４２により阻むことができる。
【００６０】
次に、図９に基づいて第３の実施の形態を説明する。
なお、前記第１および第２の実施の形態と重複する部位については、同一の符号を用いることによって、当該部位の説明は省略する。  
【００６１】
第３の実施の形態の操作体Ｃは、基本的には、第１の実施の形態のものと同様に片開き戸状に開閉動する蓋部材２０を備えるとともに、留金状部材４０の一端部が蓋部材２０の突片部２１と内箱１２の側部１２ｄ、他端部が突片部２２と側部１２ａに亘って貫通係合する構成のものである。
【００６２】
蓋部材２０は、内箱１２に架設された軸部材６０ａによって支持された上蓋２０３と、当該上蓋２０３の直下に空間を確保して上蓋２０３と一体とする下蓋２０４とから構成され、上蓋２０３と下蓋２０４とは、前記錠前機構３０を貫通固定することによって一体化されている。
上蓋２０３と下蓋２０４は、たとえば金属性の略矩形板状部材を用いた平板状のものであり、下蓋２０４は、前記した枠部材１３の硬質層１３ａ，１３ｂ同様に、ドリルの貫通を阻む硬質層を構成するものである。
【００６３】
上蓋２０３における図面上左側端部は、蓋部材２０の閉状態において、前記内箱１２における受け面１２２に支持されることによって、前記第１の実施の形態と同様に、マイナスドライバー等のへら状の工具や軸状の工具等の挿し込み行為を行い難くすることができる。
下蓋２０４における図面上右側端部は、蓋部材２０の閉状態において、内箱１２における側部１２ｄに設けられた係合凹部１２０ｄに嵌合状に係合することによって、前記第１の実施の形態と同様に、マイナスドライバー等のへら状の工具や軸状の工具等の挿し込み行為を行い難くさせるようにしている。
係合凹部１２０ｄは、図面上、上側面１２１ｄが下蓋２０４と平行状に形成されており、蓋部材２０の閉状態において、下蓋２０４が係合することによって、マイナスドライバー等のへら状の工具や軸状の工具等の挿し込み経路がジグザグとなって、マイナスドライバー等のへら状の工具や軸状の工具等の挿し込み行為を行い難くすることができる。
さらに、同係合凹部１２０ｄは、仮に軸部材６０ａが破壊され、この軸側から上蓋２０３が抉じ開けられるような場合においても、下蓋２０４を前記上側面１２１ｄに引っ掛けることによって、上蓋２０３と錠前機構３０で一体化された下蓋２０４が上蓋と同時に開けられてしまうことを防ぐ。
一方、前記上側面１２１ｄと対面する下側面１２２ｄは、内箱１２内に向けて低くなる傾斜面に形成されており、蓋部材２０の開閉動作において、下蓋２０４が係合凹部１２０ｄに接触しないようにしている。
このような構成によって、前記第１，第２の実施の形態と同様に、マイナスドライバー等のへら状の工具や軸状の工具等の挿し込み行為を行い難くし、ドリル貫通を阻み、軸側からの抉じ開けを防ぐ。
【００６４】
なお、前記構成の操作体Ａ〜Ｃは、本発明に係る開閉装置蓋部材の施錠構造の一例を適用した特に好ましい態様を示しているが、上述した各部の構成は他の構成と置換あるいは併用することが可能である。
また、前記実施の形態では、本発明に係る開閉装置蓋部材の施錠構造を、開閉装置の操作のための操作体の開口部に適用した具体例を示しているが、本発明は、たとえば、開閉装置における巻取り軸の収納ケースに設けられた点検口や、開閉装置が設置される構造物側の部位（たとえば、建物の天井や壁）等に配置された点検口等に適用することも可能である。
【図面の簡単な説明】
【００６５】
【図１】本発明に係る開閉装置蓋部材の施錠構造の一例を、下方側から視た断面図。
【図２】同操作体を側面側から視た断面図。
【図３】図２における(III)-(III)線断面図。
【図４】表面層を構成する蓋体と中間層を構成する蓋体の重合状態を裏側から視た斜視図。
【図５】図３における(V)-(V)線断面図である。
【図６】本発明に係る開閉装置蓋部材の施錠構造の他の例を、下方側から視た断面図。
【図７】図６における(ＶＩＩ)-(ＶＩＩ)線断面図。
【図８】開状態の一部切欠正面図。
【図９】本発明に係る開閉装置蓋部材の施錠構造の他の例を、下方側から視た断面図。
【符号の説明】
【００６６】
１０：筐体
１０ａ：開口部
１２ａ：側部
１３ａ：硬質層
１３ｃ：繊維層
２０：蓋部材
２０ａ：蓋体
２０ｂ：蓋体
２０ｃ：蓋体
２０ａ２：張り出し部
２０ａ３：張り出し部
２０ａ４：張り出し部
２０１：上蓋
２０２：下蓋
２０１ａ：蓋体
２０１ｂ：蓋体
３０：錠前機構
４０：留金状部材
５０：操作スイッチ部
Ａ，Ｂ，Ｃ：操作体
【図１】
2005209486.tif 000003
【図２】
2005209486.tif 000004
【図３】
2005209486.tif 000005
【図４】
2005209486.tif 000006
【図５】
2005209486.tif 000007
【図６】
2005209486.tif 000008
【図７】
2005209486.tif 000009
【図８】
2005209486.tif 000010
【図９】
2005209486.tif 000011